(57)【特許請求の範囲】
【請求項１】
ＡＭ放送とＦＭ放送を受信するラジオ受信装置であって、
ＡＭ放送を受信するＡＭ受信部と、
ＦＭ放送を受信するＦＭ受信部と、
前記ＡＭ受信部が受信しているＡＭ放送の音声と、前記ＦＭ受信部が受信しているＦＭ放送の音声とのうちの一方の音声を選択的に出力する音声出力手段と、
各ＡＭ放送に対して、当該ＡＭ放送とサイマル放送の関係にあるＦＭ放送であるＦＭ補完放送の放送周波数を登録したＦＭ補完放送情報を記憶した記憶手段と、
前記音声出力手段が前記ＡＭ受信部が受信している前記ＡＭ放送の音声を出力しているときに、前記ＡＭ受信部の前記ＡＭ放送の受信状態の良否に関わらずに、前記ＦＭ補完放送情報に前記ＡＭ受信部が受信している前記ＡＭ放送に対して登録されている放送周波数のＦＭ補完放送の受信状態を前記ＦＭ受信部を用いて調査し、受信状態が良好なＦＭ補完放送である利用可能ＦＭ補完放送が存在する場合に、前記ＡＭ受信部の前記ＡＭ放送の受信状態の良否に関わらずに、常に、利用可能なＦＭ補完放送が存在することのユーザに対する提示を行うと共に、所定のユーザ操作に応じて、前記利用可能ＦＭ補完放送の前記ＦＭ受信部の受信と、前記音声出力手段が出力する音声の前記ＦＭ受信部が受信しているＦＭ放送の音声への切替を制御するＦＭ補完放送利用支援手段とを有することを特徴とするラジオ受信装置。
【請求項２】
請求項１記載のラジオ受信装置であって、
表示装置を備え、
前記ＦＭ補完放送利用支援手段は、前記利用可能なＦＭ補完放送が存在することのユーザに対する提示として、所定の表示オブジェクトの前記表示装置への表示を行うことを特徴とするラジオ受信装置。
【請求項３】
請求項２記載のラジオ受信装置であって、
前記ＦＭ補完放送利用支援手段は、前記表示オブジェクトに対するユーザの操作を前記所定のユーザ操作として受け付けることを特徴とするラジオ受信装置。
【請求項４】
請求項１、２または３記載のラジオ受信装置であって、
前記ＦＭ補完放送利用支援手段は、前記利用可能ＦＭ補完放送が複数存在した場合には、前記所定のユーザ操作に応じて、複数の利用可能ＦＭ補完放送のうちで受信状態が最も良好であった前記利用可能ＦＭ補完放送の前記ＦＭ受信部の受信と、前記音声出力手段が出力する音声の前記ＦＭ受信部が受信しているＦＭ放送の音声への切替を制御することを特徴とするラジオ受信装置。
【請求項５】
請求項１記載のラジオ受信装置であって、
表示装置を備え、
前記ＦＭ補完放送利用支援手段は、前記利用可能ＦＭ補完放送が複数存在した場合には、前記所定のユーザ操作に応じて、前記利用可能ＦＭ補完放送の放送周波数のリストを前記表示装置に表示すると共に、当該リスト上で放送周波数のユーザによる選択を受け付け、前記選択を受け付けた放送周波数の利用可能ＦＭ補完放送の前記ＦＭ受信部の受信と、前記音声出力手段が出力する音声の前記ＦＭ受信部が受信しているＦＭ放送の音声への切替を制御することを特徴とするラジオ受信装置。
【請求項６】
ＡＭ放送とＦＭ放送を受信するラジオ受信装置であって、
表示装置と、
ＡＭ放送を受信するＡＭ受信部と、
ＦＭ放送を受信するＦＭ受信部と、
前記ＡＭ受信部が受信しているＡＭ放送の音声と、前記ＦＭ受信部が受信しているＦＭ放送の音声とのうちの一方の音声を選択的に出力する音声出力手段と、
各ＡＭ放送に対して、当該ＡＭ放送とサイマル放送の関係にあるＦＭ放送であるＦＭ補完放送の放送周波数を登録したＦＭ補完放送情報を記憶した記憶手段と、
ＡＭ放送のリストを表した選局受付画面を前記表示装置に表示し、当該選局受付画面の前記リスト上でＡＭ放送のユーザによる選択を受け付け、前記選択を受け付けたＡＭ放送の前記ＡＭ受信部の受信と、前記音声出力手段が出力する音声の前記ＡＭ受信部が受信しているＡＭ放送の音声への切替を制御するＡＭ放送選局手段と、
前記ＡＭ放送選局手段が表示するリストに含まれる各ＡＭ放送について、前記ＦＭ補完放送情報に当該ＡＭ放送に対して登録されている放送周波数のＦＭ補完放送の受信状態を前記ＦＭ受信部を用いて調査し、受信状態が良好なＦＭ補完放送を当該ＡＭ放送に対して利用可能ＦＭ補完放送として設定するＦＭ補完放送探索手段とを有し、
前記ＡＭ放送選局手段は、前記利用可能ＦＭ補完放送が設定されているＡＭ放送の前記リスト中の表示の各々に関連づけて、当該ＡＭ放送に対して設定されている前記利用可能ＦＭ補完放送に対応づけた表示オブジェクトを前記選局受付画面に含めると共に、前記表示オブジェクトに対するユーザ操作に応じて、当該表示オブジェクトに対応づけられている前記利用可能ＦＭ補完放送の前記ＦＭ受信部の受信と、前記音声出力手段が出力する音声の前記ＦＭ受信部が受信しているＦＭ放送の音声への切替を制御することを特徴とするラジオ受信装置。
【請求項７】
第１の放送規格の放送である第１種放送と、前記第１の放送規格と異なる放送規格である第２の放送規格の放送である第２種放送を受信するラジオ受信装置であって、
前記第１種放送を受信する第１種放送受信部と、
前記第２種放送を受信する第２種放送受信部と、
前記第２種放送受信部が受信している第２種放送の音声と、前記第２種放送受信部が受信している第２種放送の音声とのうちの一方の音声を選択的に出力する音声出力手段と、
各第１種放送に対して、当該第１種放送とサイマル放送の関係にある第２種放送であるサイマル第２種放送の放送周波数を登録したサイマル第２種放送情報を記憶した記憶手段と、
前記音声出力手段が前記第１種放送受信部が受信している前記第１種放送の音声を出力しているときに、前記第１種放送受信部の前記第１種放送の受信状態の良否に関わらずに、前記サイマル第２種放送情報に前記第１種放送受信部が受信している前記第１種放送に対して登録されている放送周波数のサイマル第２種放送の受信状態を前記第２種放送受信部を用いて調査し、受信状態が良好なサイマル第２種放送である利用可能サイマル第２種放送が存在する場合に、前記第１種放送受信部の前記第１種放送の受信状態の良否に関わらずに、常に、利用可能なサイマル第２種放送が存在することのユーザに対する提示を行うと共に、所定のユーザ操作に応じて、前記利用可能サイマル第２種放送の前記第２種放送受信部の受信と、前記音声出力手段が出力する音声の前記第２種放送受信部が受信している第２種放送の音声への切替を制御するサイマル第２種放送利用支援手段とを有することを特徴とするラジオ受信装置。
【請求項８】
第１の放送規格の放送である第１種放送と、前記第１の放送規格と異なる放送規格である第２の放送規格の放送である第２種放送を受信するラジオ受信装置であって、
表示装置と、
前記第１種放送を受信する第１種放送受信部と、
前記第２種放送を受信する第２種放送受信部と、
前記第２種放送受信部が受信している第２種放送の音声と、前記第２種放送受信部が受信している第２種放送の音声とのうちの一方の音声を選択的に出力する音声出力手段と、
各第１種放送に対して、当該第１種放送とサイマル放送の関係にある第２種放送であるサイマル第２種放送の放送周波数を登録したサイマル第２種放送情報を記憶した記憶手段と、
第１種放送のリストを表した選局受付画面を前記表示装置に表示し、当該選局受付画面の前記リスト上で第１種放送のユーザによる選択を受け付け、前記第１種放送受信部の前記選択を受け付けた第１種放送の受信と、前記音声出力手段が出力する音声の前記第１種
放送受信部が受信している第１種放送の音声への切替を制御する第１種放送選局手段と、
前記第１種放送選局手段が表示するリストに含まれる各第１種放送について、前記サイマル第２種放送情報に当該第１種放送に対して登録されている放送周波数のサイマル第２種放送の受信状態を前記第２種放送受信部を用いて調査し、受信状態が良好なサイマル第２種放送を当該第１種放送に対して利用可能サイマル第２種放送として設定するサイマル第２種放送探索手段とを有し、
前記第１種放送選局手段は、前記利用可能サイマル第２種放送が設定されている第１種放送の前記リスト中の表示の各々に関連づけて、当該第１種放送に対して設定されている前記利用可能サイマル第２種放送に対応づけた表示オブジェクトを前記選局受付画面に含めると共に、前記表示オブジェクトに対するユーザ操作に応じて、当該表示オブジェクトに対応づけられている前記利用可能サイマル第２種放送の前記第２種放送受信部の受信と、前記音声出力手段が出力する音声の前記第２種放送受信部が受信している第２種放送の音声への切替を制御することを特徴とするラジオ受信装置。
【請求項９】
請求項１、２、３、４、５、６、７または８記載のラジオ受信装置であって、
当該ラジオ受信装置は移動体に搭載されるものであることを特徴とするラジオ受信装置。
【発明の詳細な説明】
【技術分野】
【０００１】
本発明は、ＡＭ放送を受信するラジオ受信装置においてＦＭ補完放送の利用を支援する技術に関するものである。
【背景技術】
【０００２】
従来より、ＡＭ放送に加え、ＦＭ補完放送の放送周波数帯域内の放送周波数のＦＭ放送を受信可能なラジオ受信装置が知られている（たとえば、非特許文献１）
ここで、ＦＭ補完放送とは、ＡＭ放送の放送エリアにおいて難聴対策や災害対策や外国波混信対策のために行われている、ＡＭ放送とサイマル放送の関係にあるＦＭ放送を言う。
【０００３】
また、異なる複数の放送規格のラジオ放送を受信するラジオ受信装置において、受信中の放送から、当該放送とサイマル放送の関係にある他の放送に、受信する放送を切り替える技術としては、ＤＡＢ（デジタルオーディオ放送：Digital Audio Broadcasting）とＦＭ放送とを受信するラジオ受信装置において、受信品質に応じて、ＤＡＢと当該ＤＡＢとサイマル放送の関係にあるＦＭ放送との間で、受信する放送を切り替える技術が知られている（たとえば、特許文献１）。
【先行技術文献】
【非特許文献】
【０００４】
【非特許文献１】"ラジオ／CDラジオ・ラジカセ"、[平成28年3月23日検索]、インターネット＜URL: http://www.sony.jp/radio/radio_sony/fm/＞
【特許文献】
【０００５】
【特許文献１】特開2014-204189号公報
【発明の概要】
【発明が解決しようとする課題】
【０００６】
ＡＭ放送の放送周波数と、当該ＡＭ放送とサイマル放送の関係にあるＦＭ補完放送の放送周波数とは１対１には対応しておらず、一つのＡＭ放送の放送エリアが、放送周波数が異なる複数のＦＭ補完放送の放送エリアに分割されている場合や、ＡＭ放送の放送エリアのうちの一部のエリアのみにＦＭ補完放送の放送エリアが設定されている場合や、ＡＭ放送にサイマル放送の関係にあるＦＭ補完放送自体が存在しない場合等がある。
【０００７】
そして、このために、現在位置において利用できる、いかなるＦＭ補完放送が存在するかどうかや、当該利用できるＦＭ補完放送の放送周波数などは、ユーザにとって分かりづらいものであった。
【０００８】
一方、上述したＡＭ放送に加え、ＦＭ補完放送の放送周波数帯域内の放送周波数のＦＭ放送を受信可能なラジオ受信装置によれば、ユーザが自分自身で所望のＦＭ補完放送の放送周波数を探し出した上で当該ＦＭ補完放送を利用する必要があるため、比較的長距離を移動しながらラジオ受信装置を用いる場合等には、ユーザがＦＭ補完放送を充分に活用することは困難であった。
【０００９】
そこで、本発明は、ＡＭ放送に加え、ＦＭ補完放送の放送周波数帯域内のＦＭ放送を受信可能なラジオ受信装置において、ユーザのＦＭ補完放送の活用を支援することを課題とする。
【課題を解決するための手段】
【００１０】
前記課題達成のために、本発明は、ＡＭ放送とＦＭ放送を受信するラジオ受信装置に、ＡＭ放送を受信するＡＭ受信部と、ＦＭ放送を受信するＦＭ受信部と、前記ＡＭ受信部が受信しているＡＭ放送の音声と、前記ＦＭ受信部が受信しているＦＭ放送の音声とのうちの一方の音声を選択的に出力する音声出力手段と、各ＡＭ放送に対して、当該ＡＭ放送とサイマル放送の関係にあるＦＭ放送であるＦＭ補完放送の放送周波数を登録したＦＭ補完放送情報を記憶した記憶手段と、前記音声出力手段が前記ＡＭ受信部が受信している前記ＡＭ放送の音声を出力しているときに、前記ＦＭ補完放送情報に前記ＡＭ受信部が受信している前記ＡＭ放送に対して登録されている放送周波数のＦＭ補完放送の受信状態を前記ＦＭ受信部を用いて調査し、受信状態が良好なＦＭ補完放送である利用可能ＦＭ補完放送が存在する場合に、利用可能なＦＭ補完放送が存在することのユーザに対する提示を行うと共に、所定のユーザ操作に応じて、前記ＦＭ受信部の前記利用可能ＦＭ補完放送の受信と、前記音声出力手段が出力する音声の前記ＦＭ受信部が受信しているＦＭ放送の音声への切替を制御するＦＭ補完放送利用支援手段とを備えたものである。
【００１１】
ここで、このようなラジオ受信装置は、当該ラジオ受信装置に表示装置を備えると共に、前記ＦＭ補完放送利用支援手段において、前記利用可能なＦＭ補完放送が存在することのユーザに対する提示として、所定の表示オブジェクトの前記表示装置への表示を行うように構成してもよい。
【００１２】
また、この場合には、前記ＦＭ補完放送利用支援手段において、前記表示オブジェクトに対するユーザの操作を前記所定の操作として受け付けるようにしてもよい。
また、以上のラジオ受信装置は、前記ＦＭ補完放送利用支援手段において、前記利用可能ＦＭ補完放送が複数存在した場合には、所定のユーザ操作に応じて、複数の利用可能ＦＭ補完放送のうちで受信状態が最も良好であった前記利用可能ＦＭ補完放送の前記ＦＭ受信部の受信と、前記音声出力手段が出力する音声の前記ＦＭ受信部が受信しているＦＭ放送の音声への切替を制御するように構成してもよい。
【００１３】
または、上記したラジオ受信装置は、当該ラジオ受信装置に表示装置を備えると共に、前記ＦＭ補完放送利用支援手段において、前記利用可能ＦＭ補完放送が複数存在した場合には、前記所定のユーザ操作に応じて、前記利用可能ＦＭ補完放送の放送周波数のリストを前記表示装置に表示すると共に、当該リスト上で放送周波数のユーザによる選択を受け付け、前記選択を受け付けた放送周波数の利用可能ＦＭ補完放送の前記ＦＭ受信部の受信と、前記音声出力手段が出力する音声の前記ＦＭ受信部が受信しているＦＭ放送の音声への切替を制御するように構成してもよい。
【００１４】
これらのようなラジオ受信装置によれば、ＡＭ放送を利用しているときに、当該ＡＭ放送とサイマル放送の関係にあるＦＭ補完放送を利用可能なときには、その旨をユーザに対して提示し、所定の操作に応じて受信出力放送をＡＭ放送から当該ＦＭ補完放送に切り替える。
【００１５】
よって、ユーザは、当該提示より、利用可能なＦＭ補完放送の存在を認識すると共に、所定の操作を行うだけで、当該ＦＭ補完放送の利用を開始することができる。
また、前記課題達成のために本発明は、ＡＭ放送とＦＭ放送を受信するラジオ受信装置に、表示装置と、ＡＭ放送を受信するＡＭ受信部と、ＦＭ放送を受信するＦＭ受信部と、前記ＡＭ受信部が受信しているＡＭ放送の音声と、前記ＦＭ受信部が受信しているＦＭ放送の音声とのうちの一方の音声を選択的に出力する音声出力手段と、各ＡＭ放送に対して、当該ＡＭ放送とサイマル放送の関係にあるＦＭ放送であるＦＭ補完放送の放送周波数を登録したＦＭ補完放送情報を記憶した記憶手段と、ＡＭ放送のリストを表した選局受付画面を前記表示装置に表示し、当該選局受付画面の前記リスト上でＡＭ放送のユーザによる選択を受け付け、前記ＡＭ受信部の前記選択を受け付けたＡＭ放送の受信と、前記音声出力手段が出力する音声の前記ＡＭ受信部が受信しているＡＭ放送の音声への切替を制御するＡＭ放送選局手段と、前記ＡＭ放送選局手段が表示するリストに含まれる各ＡＭ放送について、前記ＦＭ補完放送情報に当該ＡＭ放送に対して登録されている放送周波数のＦＭ補完放送の受信状態を前記ＦＭ受信部を用いて調査し、受信状態が良好なＦＭ補完放送を当該ＡＭ放送に対して利用可能ＦＭ補完放送として設定するＦＭ補完放送探索手段とを備えたものである。ただし、前記ＡＭ放送選局手段は、前記利用可能ＦＭ補完放送が設定されているＡＭ放送の前記リスト中の表示の各々に関連づけて、当該ＡＭ放送に対して設定されている前記利用可能ＦＭ補完放送に対応づけた表示オブジェクトを前記選局受付画面に含めると共に、前記表示オブジェクトに対するユーザ操作に応じて、当該表示オブジェクトに対応づけられている前記利用可能ＦＭ補完放送の前記ＦＭ受信部の受信と、前記音声出力手段が出力する音声の前記ＦＭ受信部が受信しているＦＭ放送の音声への切替を制御する。
【００１６】
このようなラジオ受信装置によれば、ユーザからＡＭ放送の選局を受け付ける選局受付画面に表示するＡＭ放送のリスト中のＡＭ放送のうちに、当該ＡＭ放送とサイマル放送の関係にあるＦＭ補完放送を利用可能なＡＭ放送が存在する場合には、当該利用可能なＦＭ補完放送が存在するＡＭ放送の表示と関連づけて、利用可能なＦＭ補完放送が存在することを表す表示オブジェクトを表示すると共に、当該表示オブジェクトの操作に応じて、当該利用可能なＦＭ補完放送の受信出力を開始する。
【００１７】
よって、ユーザは、ＡＭ放送の選局受付画面において、表示オブジェクトの表示からＦＭ補完放送を利用可能なＡＭ放送を識別できると共に、ＦＭ補完放送の利用を希望する場合には表示オブジェクトの操作を行うだけで、当該ＦＭ放送の利用を開始することができるようになる。
【００１８】
なお、以上のラジオ受信装置は、当該ラジオ受信装置は移動体に搭載されるものであってもよい。
また、以上の各ラジオ放送受信装置は、ＡＭ放送を、任意の第１の放送規格の放送である第１種放送に置き換え、ＦＭ放送を、前記第１の放送規格と異なる任意の放送規格である第２の放送規格の放送である第２種放送に、ＦＭ補完放送を第１種放送とサイマル放送の関係にある第２種放送であるサイマル第２種放送に置き換えて適用するようにしてもよい。
【発明の効果】
【００１９】
以上のように、本発明によれば、ＡＭ放送に加え、ＦＭ補完放送の放送周波数帯域内のＦＭ放送を受信可能なラジオ受信装置において、ユーザのＦＭ補完放送の活用を支援することができる。
【図面の簡単な説明】
【００２０】
【図１】本発明の実施形態に係るラジオ受信装置の構成を示すブロック図である。
【図２】本発明の実施形態に係るＦＭ補完放送データを示す図である。
【図３】本発明の実施形態に係るＦＭ補完放送探索処理を示すフローチャートである。
【図４】本発明の実施形態に係るＦＭ補完放送切替処理を示すフローチャートである。
【図５】本発明の実施形態に係るラジオ受信装置のＵＩを示す図である。
【図６】本発明の実施形態に係るラジオ受信装置のＵＩを示す図である。
【発明を実施するための形態】
【００２１】
以下、本発明の実施形態について、自動車に搭載される車載システムへの適用を例にとり説明する。
図１に、本実施形態に係る車載システムの構成を示す。
図示するように、車載システムは、ラジオ受信装置１、ナビゲーション装置２、制御装置３、表示装置４、イコライザやアンプを備えた音声出力装置５、入力装置６、記憶装置７、スピーカ８を備えている。
【００２２】
また、ラジオ受信装置１は、ＡＭ放送を受信するＡＭ受信部１１、ＦＭ放送を受信するＦＭ受信部１２、セレクタ１３、以上の各部を制御するコントローラ１４を備えている。
そして、ＡＭ受信部１１は、指定されたＡＭ放送周波数帯内の放送周波数を検波し受信信号を出力するＡＭフロントエンド１１１（ＡＭ  Ｆ／Ｅ１１１）と、ＡＭフロントエンド１１１が出力する受信信号から音声を復調し出力するＡＭ復調部１１２を備えている。また、ＦＭ受信部１２は、指定されたＦＭ放送周波数帯内の放送周波数を検波し受信信号を出力するＦＭフロントエンド１２１、ＦＭフロントエンド１２１が出力する受信信号から音声を復調し出力するＦＭ復調部１２２を備えている。
【００２３】
次に、記憶装置７には、ＦＭ選局候補リストと、ＡＭ選局候補リストと、ＦＭ補完放送データとが記憶されている。
ここで、ＦＭ選局候補リストには、予めユーザが登録した複数のＦＭ放送局の放送局名と放送周波数、または、ラジオ受信装置１に周波数サーチを実行させて探索した現在受信可能なＦＭ放送局の放送局名と放送周波数とが登録されている。
【００２４】
また、ＡＭ選局候補リストには、予めユーザが登録した複数のＡＭ放送局の放送局名と放送周波数、または、ラジオ受信装置１に周波数サーチを実行させて探索した現在受信可能なＡＭ放送局の放送局名と放送周波数とが登録されている。
【００２５】
次に、図２に示すように、ＦＭ補完放送データは、全国の全てのＡＭ放送局毎に対応して設けられたＡＭ放送局データを含み、各ＡＭ放送局データには、対応するＡＭ放送局の放送局名と、対応するＡＭ放送局がＡＭ放送に用いているＡＭ放送周波数帯内の放送周波数を表すＡＭ放送周波数と、対応するＡＭ放送局のＡＭ放送とサイマル放送の関係にある（放送番組内容が同一の）ＦＭ放送であるＦＭ補完放送に用いられているＦＭ放送周波数帯内の放送周波数を表すＦＭ補完放送周波数が登録されている。
【００２６】
さて、図１に戻り、制御装置３は、表示装置４を用いた適当なユーザインタフェースで、ユーザ操作を入力装置６を介して受け付けて、ナビゲーション装置２やラジオ受信装置１の動作を制御したり、ナビゲーション装置２が出力する映像やラジオ受信装置１が出力する情報を表示する画面を表示装置４に表示したり、ナビゲーション装置２やラジオ受信装置１が出力する音声を音声出力装置５から出力する処理等を行う。
【００２７】
たとえば、制御装置３は、ＦＭ選局候補リストを用いて作成した所定のＦＭ放送選局受付画面を表示装置４に表示して、ユーザから入力装置６を介してＦＭ放送の選択を受け付け、選択を受け付けたＦＭ放送の放送周波数の受信出力をラジオ受信装置１のコントローラ１４に指示する。一方指示を受け付けたラジオ受信装置１のコントローラ１４は、受信出力を指示されたＦＭ放送の放送周波数をＦＭ受信部１２のＦＭフロントエンド１２１に設定することにより当該周波数のＦＭ放送の受信及び当該ＦＭ放送の音声の出力を開始させると共に、セレクタ１３にＦＭ受信部１２が出力する音声を制御装置３に出力させる。そして、制御装置３は、以上のようにしてラジオ受信装置１から出力されたユーザが選択したＦＭ放送の音声を音声出力装置５にスピーカ８に出力させる。
【００２８】
また、同様に、制御装置３は、ＡＭ選局候補リストを用いて作成した所定のＡＭ放送選局受付画面を表示装置４に表示して、ユーザから入力装置６を介してＡＭ放送の選択を受け付け、選択を受け付けたＡＭ放送の放送周波数の受信出力をラジオ受信装置１のコントローラ１４に指示する。一方指示を受け付けたラジオ受信装置１のコントローラ１４は、受信出力を指示されたＡＭ放送の放送周波数をＡＭ受信部１１のＡＭフロントエンド１１１に設定することにより当該周波数のＡＭ放送の受信及び当該ＡＭ放送の音声の出力を開始させると共に、セレクタ１３にＡＭ受信部１１が出力する音声を制御装置３に出力させる。そして、制御装置３は、以上のようにしてラジオ受信装置１から出力されたユーザが選択したＡＭ放送の音声を音声出力装置５にスピーカ８に出力させる。
【００２９】
さて、制御装置３は、ラジオ受信装置１のＡＭ受信部１１で受信しているＡＭ放送の音声をスピーカ８から出力している期間中、すなわち、ＡＭ放送を受信出力している期間中、ＦＭ補完放送探索処理を行う。
【００３０】
図３に、ＦＭ補完放送探索処理の手順を示す。
図示するように、制御装置３は、ＦＭ補完放送探索処理において、ラジオ受信装置１で受信中のＡＭ放送のＦＭ補完放送が存在するかどうかを、記憶装置７のＦＭ補完放送データの受信中のＡＭ放送のＡＭ放送局のＡＭ放送局データを参照して判定する（ステップ３０２）。なお、受信中のＡＭ放送のＡＭ放送局のＡＭ放送局データは、受信中のＡＭ放送の放送周波数がＡＭ放送周波数として登録されているＡＭ放送局データ、または、受信中のＡＭ放送の放送局名が登録されているＡＭ放送局データとして求まる。また、受信中のＡＭ放送のＡＭ放送局のＡＭ放送局データにＦＭ補完放送周波数として登録されている放送周波数が存在する場合に、受信中のＡＭ放送のＦＭ補完放送が存在することとなる。
【００３１】
そして、ラジオ受信装置１で受信中のＡＭ放送のＦＭ補完放送が存在しない場合には（ステップ３０２）、ＦＭ補完放送有フラグをクリアし（ステップ３１２）、ラジオ受信装置１で受信するＡＭ放送の放送周波数が変更されるのを待って（ステップ３１４）、ステップ３０２からの処理に戻る。
【００３２】
一方、受信中のＡＭ放送のＦＭ補完放送が存在する場合には（ステップ３０２）、存在した各ＦＭ補完放送の各放送周波数、すなわち、受信中のＡＭ放送のＡＭ放送局のＡＭ放送局データにＦＭ補完放送周波数として登録されている各放送周波数をスキャンし、各放送周波数におけるＦＭ補完放送の受信状態を調べる（ステップ３０４）。
【００３３】
ここで、この存在した各ＦＭ補完放送の各周波数のスキャンは以下のように行う。
すなわち、制御装置３は、受信中のＡＭ放送のＦＭ補完放送の各放送周波数を一つずつ順次、探索周波数として、探索周波数の受信品質のチェックをラジオ受信装置１のコントローラ１４に指示する。探索周波数のＦＭ放送の受信品質のチェックを指示されたコントローラ１４は、探索周波数をＦＭ受信部１２のＦＭフロントエンド１２１に設定することにより当該探索周波数のＦＭ放送をＦＭ受信部１２に受信させると共に、探索周波数の受信電界強度や、探索周波数の受信信号のＳＮ比などの探索周波数の受信品質に関わる値をＦＭ受信部１２のＦＭフロントエンド１２１やＦＭ復調部１２２から取得して、チェック結果として制御装置３に通知する。そして、制御装置３は、ラジオ受信装置１から通知されたチェック結果から、探索周波数の受信状態を算定する。
【００３４】
さて、次に、以上のようにして、受信中のＡＭ放送のＦＭ補完放送の各放送周波数の受信状態を調べたならば（ステップ３０４）、受信中のＡＭ放送のＦＭ補完放送の放送周波数のうちに受信状態が良好な放送周波数が存在するかどうかを調べ（ステップ３０６）、存在しない場合には、ＦＭ補完放送有フラグをクリアし（ステップ３１６）、ステップ３０２からの処理に戻る。
【００３５】
一方、受信中のＡＭ放送のＦＭ補完放送の放送周波数のうちに受信状態が良好な周波数が存在した場合には（ステップ３０６）、存在した周波数のうちで最も受信状態が良好な放送周波数を現用ＦＭ補完放送周波数にセットする（ステップ３０８）。
【００３６】
そして、ＦＭ補完放送有フラグをセットし（ステップ３１０）、ステップ３０２からの処理に戻る。
以上、ＡＭ放送の受信出力中に制御装置３が行うＦＭ補完放送探索処理について説明した。
このようなＦＭ補完放送探索処理によれば、受信出力中のＡＭ放送のＦＭ補完放送が受信可能な期間中は、ＦＭ補完放送有フラグがセットされると共に、受信出力中のＡＭ放送のＦＭ補完放送のうちの最も良好に受信可能なＦＭ補完放送の放送周波数が現用ＦＭ補完放送周波数にセットされる。一方、受信出力中のＡＭ放送のＦＭ補完放送が受信できない期間中は、ＦＭ補完放送有フラグがクリアされた状態となる。
【００３７】
次に、制御装置３が行うＦＭ補完放送切替処理について説明する。
ここで、このＦＭ補完放送切替処理は、ラジオ受信装置１のＡＭ受信部１１またはＦＭ受信部１２で受信したＡＭ放送またはＦＭ放送の音声のスピーカ８からの出力を開始したとき、すなわち、ユーザがラジオ受信装置１を利用を開始したときに起動され実行される。
【００３８】
図４に、このＦＭ補完放送切替処理の手順を示す。
図示するように、ＦＭ補完放送切替処理において、制御装置３は、現在ＡＭ放送を受信出力している状態であるか（ステップ４０２）と、現在ＦＭ補完放送を受信出力している状態であるか（ステップ４０４）を調べる。ここで、ＡＭ放送を受信出力している状態とは、ラジオ受信装置１のＡＭ受信部１１で受信しているＡＭ放送の音声をスピーカ８から出力している状態であり、ＦＭ補完放送を受信出力している状態とは、ラジオ受信装置１のＦＭ受信部１２で受信しているＦＭ補完放送の音声をスピーカ８から出力している状態である。
【００３９】
そして、現在ＡＭ放送を受信出力している状態であれば（ステップ４０２）、ＦＭ補完放送有フラグがセットされているかどうかを調べ（ステップ４０６）、セットされていなければステップ４０２からの処理に戻る。
【００４０】
一方、ＦＭ補完放送有フラグがセットされている場合には（ステップ４０６）、受信出力中のＡＭ放送の受信状態の劣化が発生しているかどうかと（ステップ４０８）、入力装置６に対するユーザのＦＭ補完放送切替操作が発生しているかどうか（ステップ４１０）を調べ、どちらも発生していない場合には、ステップ４０２からの処理に戻る。
【００４１】
一方、受信出力中のＡＭ放送の受信状態の劣化（ステップ４０８）と、入力装置６に対するユーザのＦＭ補完放送切替操作（ステップ４１０）のいずれかが発生している場合には、現用ＦＭ補完放送周波数にセットされている放送周波数のＦＭ放送の受信出力をラジオ受信装置１のコントローラ１４に指示することにより、受信出力する放送を、現時点まで受信出力していたＡＭ放送のＦＭ補完放送に切り替える（ステップ４１２）。
【００４２】
ここで、受信出力中のＡＭ放送の受信状態は、ラジオ受信装置１のコントローラ１４を介して、ＡＭ受信部１１で検出されている上述した受信品質に関わる値を取得して算定する。
【００４３】
また、ステップ４１０で発生を検出するユーザのＦＭ補完放送切替操作の詳細については後述する。
そして、以上のようにして受信出力する放送をＦＭ補完放送に切り替えたならば、ステップ４０２からの処理に戻る。
一方、現在ＦＭ補完放送を受信出力している状態である場合には（ステップ４０４）、以下の処理を行う。
ここで、現在ＦＭ補完放送を受信出力している状態であるかどうかは、上述したステップ４１２で受信出力する放送をＦＭ補完放送に切り替えた後に、受信出力する放送の変更が行われていないかどうかや、ラジオ受信装置１のＦＭ受信部１２で受信している受信中のＦＭ放送の放送周波数が、ＦＭ補完放送データのいずれかのＡＭ放送局データにＦＭ補完放送周波数として登録されている放送周波数であるかどうかに基づいて判別することができる。
【００４４】
さて、現在ＦＭ補完放送を受信出力している状態である場合には（ステップ４０４）、受信出力中のＦＭ補完放送の受信状態の劣化が発生しているかどうかと（ステップ４１４）、入力装置６に対するユーザのサイマルＡＭ放送切替操作が発生しているかどうか（ステップ４１６）を調べ、どちらも発生していない場合には、ステップ４０２からの処理に戻る。
【００４５】
なお、ステップ４１６で発生を検出するユーザのサイマルＡＭ放送切替操作については後述する。
一方、受信出力中のＦＭ補完放送の受信状態の劣化（ステップ４１４）と、入力装置６に対するユーザのサイマルＡＭ放送切替操作（ステップ４１６）のいずれかが発生している場合には、受信出力しているＦＭ補完放送とサイマル放送の関係にあるＡＭ放送の放送周波数のＡＭ放送の受信出力をラジオ受信装置１のコントローラ１４に指示することにより、受信出力する放送を、現時点まで受信出力していたＦＭ補完放送から当該ＦＭ補完放送とサイマル放送の関係にあるＡＭ放送に切り替え（ステップ４１８）、ステップ４０２からの処理に戻る。
【００４６】
ここで、受信出力中のＦＭ補完放送の受信状態は、ラジオ受信装置１のコントローラ１４を介して、ＦＭ受信部１２で検出されている上述した受信品質に関わる値を取得して算定する。
【００４７】
また、受信出力しているＦＭ補完放送とサイマル放送の関係にあるＡＭ放送の放送周波数は、ＦＭ補完放送データの、受信出力しているＦＭ補完放送の放送周波数がＦＭ補完放送周波数として登録されているＡＭ放送局データに登録されているＡＭ放送周波数として求めることができる。ここで、ＡＭ放送局データに登録されているＡＭ放送周波数が複数存在する場合には、ステップ４１８において、存在した各ＡＭ放送周波数の受信状態を調べ、最も受信状態の良いＡＭ放送周波数に、受信出力する放送を切り替えるようにしてもよい。
【００４８】
なお、上述したステップ４１２で受信出力する放送をＦＭ補完放送に切り替えた後に、受信出力する放送の変更が行われていない場合には、ステップ４１８において、受信出力しているＦＭ補完放送の前に受信出力していたＡＭ放送の放送周波数に受信出力する放送を切り替えるようにしてもよい。
【００４９】
また、ステップ４１８は、受信出力中のＦＭ補完放送とサイマル放送の関係にあるＡＭ放送のうちに受信状態が良好なＡＭ放送が存在しない場合には、受信出力する放送のＡＭ放送への切替を行わずに、そのままステップ４０２に戻る処理としてもよい。
【００５０】
以上、制御装置３が行うＦＭ補完放送切替処理について説明した。
以下、ＦＭ補完放送切替処理のステップ４１０で発生を検出するユーザのＦＭ補完放送切替操作と、ステップ４１６で発生を検出するユーザのサイマルＡＭ放送切替操作について説明する。
【００５１】
制御装置３は、ＡＭ放送を受信出力しており、かつ、ＦＭ補完放送有フラグがセットされている期間中、すなわち、受信出力中のＡＭ放送のＦＭ補完放送が受信可能な期間中、ＦＭ補完放送を利用可能であることを示す表示と、ユーザのＦＭ補完放送切替操作の受付とを行う。
【００５２】
受信出力中のＡＭ放送のＦＭ補完放送を利用可能であることを示す表示とユーザのＦＭ補完放送切替操作の受付は、以下のように行う。
すなわち、たとえば、現在ＡＭ放送を受信出力しており、かつ、上述したユーザからＡＭ放送の選択を受け付けるためのＡＭ放送選局受付画面を表示装置４に表示しているときには、受信出力中のＡＭ放送のＦＭ補完放送を利用可能であることを示す表示とユーザのＦＭ補完放送切替操作の受付を、ＡＭ放送選局受付画面として、ＦＭ補完放送有フラグがセットされていないときには図５ａ１に示すＡＭ放送選局受付画面を用い、ＦＭ補完放送有フラグがセットされているときには図５ａ２に示すＡＭ放送選局受付画面を用いることにより行う。
【００５３】
ここで、ＦＭ補完放送有フラグがセットされていないときに用いる図５ａ１のＡＭ放送選局受付画面は、ＡＭ選局候補リストに登録されている各ＡＭ放送に対応する選局ボタン５１を、各選局ボタン５１の中に対応するＡＭ放送の放送局名と周波数を表した形態で配列したものであり、制御装置３は、ユーザの選局ボタン５１の操作に応じて、操作された選局ボタン５１に対応するＡＭ放送のユーザの選択を受け付け、選択を受け付けたＡＭ放送の受信出力の開始を制御する。また、このＡＭ放送選局受付画面では、受信出力中のＡＭ放送に対応する選局ボタン５１を強調表示する。
【００５４】
一方、ＦＭ補完放送有フラグがセットされているときに用いる図５ａ２のＡＭ放送選局受付画面では、図５ａ１のＡＭ放送選局受付画面の、受信出力中のＡＭ放送に対応する選局ボタン５１の横方向サイズを縮小し、縮小した選局ボタン５１の右横に、その中に「ＦＭ補完」と表したＦＭ補完ボタン５２を表示することにより、受信出力中のＡＭ放送のＦＭ補完放送を利用可能であることを示す。また、制御装置３は、このＦＭ補完ボタン５２の操作を、ＦＭ補完放送切替操作として受け付ける。なお、図５ａ２のＡＭ放送選局受付画面においても、制御装置３は、ユーザの選局ボタン５１の操作に応じて、操作された選局ボタン５１に対応するＡＭ放送のユーザの選択を受け付け、選択を受け付けたＡＭ放送の受信出力の開始を制御する。
【００５５】
一方、制御装置３は、ＦＭ補完放送を受信出力中であり、かつ、ＡＭ放送選局受付画面を表示しているときには、受信出力中のＦＭ補完放送とサイマル放送の関係にあるＡＭ放送に対応する選局ボタン５１（受信出力中のＦＭ補完放送のＦＭ補完ボタン５２の左の選局ボタン５１）の操作に応じてサイマルＡＭ放送切替操作を受け付ける。
【００５６】
また、たとえば、現在ＡＭ放送を受信出力であり、かつ、表示装置４にナビゲーション装置２が出力する画面を表示装置４に表示しているときには、受信出力中のＡＭ放送のＦＭ補完放送を利用可能であることを示す表示とユーザのＦＭ補完放送切替操作の受付は、ＦＭ補完放送有フラグがセットされていない場合は、図５ｂ１に示すようにナビゲーション装置２が出力する画面のみを表示装置４に表示し、ＦＭ補完放送有フラグがセットされている場合には、図５ｂ２に示すように、その中に「ＦＭ補完」と表したＦＭ補完ボタン５２をナビゲーション装置２が出力する画面上に重畳表示することによりＦＭ補完放送を利用可能であることを示すと共に、ユーザのＦＭ補完ボタン５２の操作をＦＭ補完放送切替操作として受け付けることにより行う。
【００５７】
一方、制御装置３は、ＦＭ補完放送を受信出力中であり、かつ、ナビゲーション装置２が出力する画面を表示装置４に表示しているときの、ユーザのサイマルＡＭ放送切替操作の受付を、その中に「ＡＭ切替」と表したＡＭ切替ボタンをナビゲーション装置２が出力する画面上の重畳表示すると共に、ユーザの選局ボタン５１の操作に応じて、ＡＭ復帰ボタンの操作をサイマルＡＭ放送切替操作として受け付けることにより行う。
【００５８】
以上、本発明の実施形態について説明した。
以上のように、本実施形態によれば、ＡＭ放送を利用しているときに、当該ＡＭ放送とサイマル放送の関係にあるＦＭ補完放送を利用可能なときには、その旨をユーザに対して表示し、当該表示と関連づけられた所定の操作に応じて受信出力放送をＡＭ放送から当該ＦＭ補完放送に切り替える。
【００５９】
よって、ユーザは、ラジオ受信装置１の表示より、利用可能なＦＭ補完放送の存在を認識すると共に、当該表示と関連づけられた所定の操作を行うだけで、当該ＦＭ補完放送の利用を開始することができる。
【００６０】
ところで、以上の実施形態は、図３のＦＭ補完放送探索処理のステップ３０８を、ステップ３０４で検出した受信状態が良好な周波数のリストをＦＭ補完放送周波数リストとしてセットする処理とすると共に、図４のＦＭ補完放送切替処理のステップ４１２を、ＦＭ補完放送周波数リストに登録されているＦＭ補完放送の放送周波数のリストを、たとえば図６ａに示すようなＦＭ補完放送選局画面として表示し、表示したリスト中からユーザによって選択された放送周波数のＦＭ補完放送に、受信出力する放送を切り替える処理としてもよい。なお、図６ａのＦＭ補完放送選局画面では、ＦＭ補完放送周波数リストに登録されている各放送周波数に対応する選局ボタン６１を、各ＦＭ補完放送選局ボタン６１の中に対応する放送周波数を表した形態で配列して表示している。そして、制御装置３は、このようなＦＭ補完放送選局画面のＦＭ補完放送選局ボタン６１の操作に応じて、操作されたＦＭ補完放送選局ボタン６１に対応する放送周波数のＦＭ補完放送に、受信出力する放送を切り替える。
【００６１】
また、以上の実施形態では、受信出力中のＡＭ放送についてのみ、当該ＡＭ放送とサイマル放送の関係にあるＦＭ補完放送の放送周波数の受信状態を検出するようにしたが、これは、ＦＭ放送やＦＭ補完放送を受信出力していない期間中に、ＦＭ補完放送データを参照して求まる、ＡＭ選局候補リストに登録されている各ＡＭ放送とサイマル放送の関係にある各ＦＭ補完放送の放送周波数の受信状態の検出を、バックグランドで動作させたＦＭ受信部１２を用いて繰り返すようにしてもよい。
【００６２】
また、この場合には、上述したＡＭ放送選局受付画面において、図６ｂに示すように、受信状態が良好なＦＭ補完放送が存在するＡＭ放送に対応する選局ボタン５１の右横に、当該ＡＭ放送とサイマル放送の関係にあるＦＭ補完放送のうちの受信状態が良好なＦＭ放送の放送周波数に対応づけたＦＭ補完ボタン５２を表示すると共に、各ＦＭ補完ボタン５２の操作に応じて、当該ＦＭ補完ボタン５２に対応づけられている放送周波数のＦＭ補完放送の受信出力を開始するようにしてもよい。
【００６３】
このように、ユーザからＡＭ放送の選局を受け付けるためのＡＭ放送選局受付画面に表示する各ＡＭ放送の選局ボタン５１に対して、当該ＡＭ放送のサイマル放送の関係にあるＦＭ補完放送を利用可能な場合には、当該ＡＭ放送の表示と関連づけて利用可能なＦＭ補完放送が存在することを表すＦＭ補完ボタン５２を表示すると共に、当該ＦＭ補完ボタン５２の操作に応じて、当該ＦＭ補完放送の受信出力を開始することにより、ユーザは、ＡＭ放送の選局受付画面において、ＦＭ補完ボタン５２の表示からＦＭ補完放送を利用可能なＡＭ放送を識別できると共に、所望のＡＭ放送に代えて当該ＡＭ放送とサイマル放送の関係にあるＦＭ補完放送の利用を希望する場合にはＦＭ補完ボタン５２の操作を行うだけで、当該ＦＭ補完放送の利用を開始することができるようになる。
【００６４】
また、以上の実施形態は、ナビゲーション装置２とラジオ受信装置１とを備えた車載装置への適用を例にとり説明したが、本実施形態で示したＦＭ補完放送の活用を支援する技術は、ラジオ受信装置１、または、ラジオ受信装置１を備えた任意のシステムに同様に適用可能である。
【００６５】
また、この場合において、表示装置４のサイズが小さいラジオ受信装置１、または、ラジオ受信装置１を備えたシステムに適用するときには、受信出力中のＡＭ放送のＦＭ補完放送を利用可能であることを示す表示とユーザのＦＭ補完放送切替操作の受付は、図５ｃ１、ｃ２に示すように行ってもよい。
【００６６】
すなわち、表示装置４の画面の下に複数のハードキー５３を設け、表示装置４の画面下部のの各ハードキー５３の上方の位置に、その下にあるハードキー５３で受け付ける操作の識別を表示するようにする。
【００６７】
そして、一つのハードキー５３ａについて、ＡＭ放送を受信出力中にＦＭ補完放送有フラグがセットされていない場合には、そのハードキー５３ａでの操作は受け付けないようにする。また、ＡＭ放送を受信出力中にＦＭ補完放送有フラグがセットされている場合には、そのハードキー５３ａの上に「ＦＭ補完」等との表示５４を行ってＦＭ補完放送を利用可能であることを示すと共に、そのハードキー５３ａの操作に応じてユーザのＦＭ補完放送切替操作の受付を行うようにする。また、この場合には、ＦＭ補完放送を受信出力中には、上述した一つのハードキー５３ａの上に「ＡＭ切替」等との表示を行うと共に、そのハードキー５３の操作に応じてユーザのサイマルＡＭ放送切替操作の受付を行うようにする。
【００６８】
または、ＦＭ補完放送切替操作受付用のハードキーと、当該ハードキー５３の有効/無効を点灯/消灯により表す LED等のインジケータを設け、ＡＭ放送を受信出力中にＦＭ補完放送有フラグがセットされている場合にのみ、インジケータを点灯すると共に、そのハードキーの操作をＦＭ補完放送切替操作として受け付けるようにしてもよい。また、この場合におけるユーザのサイマルＡＭ放送切替操作の受付は、たとえば、ＦＭ補完放送の受信出力中におけるＦＭ補完放送切替操作受付用のハードキーの操作によって受け付けるようにする。
【００６９】
なお、以上ではＡＭ放送とＦＭ補完放送とをラジオ受信装置１で受信する場合について示したが、本実施形態におけるＡＭ放送を、任意の第１の放送規格の放送である第１種放送に、ＦＭ放送を、前記第１の放送規格と異なる任意の放送規格である第２の放送規格の放送である第２種放送に、ＦＭ補完放送を、第１種放送とサイマル放送の関係にある第２種放送であるサイマル第２種放送に置き換えて適用することもできる。
【符号の説明】
【００７０】
１…ラジオ受信装置、２…ナビゲーション装置、３…制御装置、４…表示装置、５…音声出力装置、６…入力装置、７…記憶装置、８…スピーカ、１１…ＡＭ受信部、１２…ＦＭ受信部、１３…セレクタ、１４…コントローラ、５１…選局ボタン、５２…ＦＭ補完ボタン、５３…ハードキー、１１１…ＡＭフロントエンド、１１２…ＡＭ復調部、１２１…ＦＭフロントエンド、１２２…ＦＭ復調部。
【図１】
0006652277.tif 000002
【図２】
0006652277.tif 000003
【図３】
0006652277.tif 000004
【図４】
0006652277.tif 000005
【図５】
0006652277.tif 000006
【図６】
0006652277.tif 000007